(57)【要約】【課題】扉開閉槓杆とそれに連動する扉爪とからなる電気機器箱体扉の扉爪を掛止する扉爪掛止装置は、水の飛散があると水分が浸透することから、装置箱体及び蓋体と、扉掛止槓杆と、にゴム製ブーツ等を係止していたが、コストや扉掛止槓杆の往復移動に問題点があった。【解決手段】装置箱体と、該装置箱体と嵌合する蓋体と、該装置箱体に収納される固定鉄芯を有する可動鉄芯吸引型電磁石と、該可動鉄芯吸引型電磁石内を往復移動可能な可動鉄芯と、該可動鉄芯に連動する扉掛止槓杆と、からなる電気機器箱体扉の扉掛止装置において、該装置箱体から該扉掛止槓杆が往復移動可能に突出できるように、該装置箱体と該蓋体とには各々側面に突設した軸受部を設け、該軸受部の内周面には凹状の油溜まり部を設け、該油溜まり部には油性物質を充填する。【選択図】        図２
2004332493.tif 000002
【特許請求の範囲】
【請求項１】
装置箱体と、該装置箱体と嵌合する蓋体と、該装置箱体に収納される固定鉄芯を有する可動鉄芯吸引型電磁石と、該可動鉄芯吸引型電磁石内を往復移動可能な可動鉄芯と、該可動鉄芯に連動する扉掛止槓杆と、からなる電気機器箱体扉の扉掛止装置において、該装置箱体から該扉掛止槓杆が往復移動可能に突出できるように、該装置箱体と該蓋体とには各々側面に突設した軸受部を設け、該軸受部の内周面には凹状の油溜まり部を設け、該油溜まり部には油性物質を充填したことを特徴とする電気機器箱体扉の簡易防水形扉掛止装置。
【発明の詳細な説明】
【０００１】
【発明の属する技術分野】
本発明は、電気機器（例えば、全自動洗濯機、衣類乾燥機、食器洗い乾燥機等）箱体の扉を電磁掛止する扉掛止装置に係わるものであり、詳しくは電気機器作動中の水の飛散などによる水分の浸透からの扉掛止装置内の電磁石等の電気部品の簡易保護に関する。
【０００２】
【従来の技術】
従来、例えば、扉開閉槓杆（ハンドル、レバー）と、該扉開閉槓杆に連動する扉爪と、からなる全自動洗濯機扉箱体の扉の扉爪を掛止するために設けられた扉爪掛止装置には、装置箱体と、該装置箱体と嵌合する蓋体と、該装置箱体に収納される固定鉄芯を有する可動鉄芯吸引型電磁石と、該可動鉄芯吸引型電磁石内を往復移動可能な可動鉄芯と、該可動鉄芯に連動する扉掛止槓杆と、からなる電磁式扉爪掛止機構が知られている（例えば、特許文献１、特許文献２、特許文献３参照。）。
【０００３】
また、対象物の洗浄に水を使用する全自動洗濯機等においては、その作動中に水が飛散し、扉爪掛止装置をはじめ各部品に水分が浸透することが知られている。この防水対策として、図１に示すように、該扉爪掛止装置１０は、該装置箱体２０及び該蓋体３０と、該扉掛止槓杆４０の外周部と、に（市販品等には存在していために）特別注文等で形成する高価なゴム製ブーツ（パッキン）４１や、油分が滲み出るゲル状ゴムシート（パッキン）等で係止していた。
【０００４】
【特許文献１】
特開平１０−２７２２９３号公報
【特許文献２】
特開平１０−２８６３９４号公報
【特許文献３】
特開２００２−６６１８９号公報
【０００５】
【発明が解決しようとする課題】
しかしながら、前記ゴム製ブーツ等の部品コストが必要なことと、前記ゴム製ブーツ等といっしょに該扉掛止槓杆を駆動（往復移動）させるのには該可動鉄芯吸引型電磁石に大きな電流（電力）が必要なことと、等の問題点があった。
【０００６】
本発明は、従来の技術の有するこのような問題点を鑑みてなされたものであり、その目的とするところは、小電力でも扉掛止槓杆の挿脱（往復移動）を容易にし、水分浸透の無い簡易防水形扉掛止装置を提供しようとするものである。
【０００７】
【課題を解決するための手段】
上記目的を達成するために、本発明の電気機器箱体扉の簡易防水形扉掛止装置は、装置箱体と、該装置箱体と嵌合する蓋体と、該装置箱体に収納される固定鉄芯を有する可動鉄芯吸引型電磁石と、該可動鉄芯吸引型電磁石内を往復移動可能な可動鉄芯と、該可動鉄芯に連動する扉掛止槓杆と、からなり、該装置箱体から該扉掛止槓杆が往復移動可能に突出できるように、該装置箱体と該蓋体とには各々側面に突設した軸受部を設け、該軸受部の内周面には凹状の油溜まり部を設け、該油溜まり部には油性物質（例えば、ワセリン、グリース（潤滑剤の一種。液体潤滑剤に濃厚化剤を分散させた固体から半固体状の潤滑剤。）オイル）を充填したことを特徴とする。
【０００８】
【発明の実施の形態】
発明の実施の形態について図面を参照して説明する。
図２は本発明の一実施例の電気機器箱体扉の扉掛止装置１５の蓋体３０を取外した扉掛止槓杆４０開放時の正面図及び一部断面図で、図３は該蓋体３０を取外した扉掛止槓杆４０掛止時の正面図及び一部断面図で、図４は図２における軸受部２３の要部拡大図及び一部断面図である。
【０００９】
本発明の一実施例の電気機器箱体扉の扉掛止装置１５は、支持軸２１を有する装置箱体２０（例えば、ＡＢＳ樹脂）と、該装置箱体２０と嵌合する蓋体３０（例えば、ＡＢＳ樹脂、不図示）と、該支持軸２１を支点に往復移動可能な扉掛止槓杆４０（例えば、ＡＢＳ樹脂）と、該装置箱体２０と該扉掛止槓杆４０とを常時弾発付勢している圧縮渦巻発条（Ａ）２２（例えば、ステンレス鋼線）と、一方が該扉掛止槓杆４０に掛着され他方が操作板６０に掛着され該支持軸２１を支点に回動可能な回動板５０（例えば、ＡＢＳ樹脂）と、平板状可動鉄芯７３と、固定鉄芯７１を有する可動鉄芯吸引型電磁石７０と、該可動鉄芯７３に連動し手動解除槓杆６３と掛止ピン誘導溝６１とを有する操作板６０（例えば、ＡＢＳ樹脂）と、該操作板６０に片持されている圧縮渦巻発条（Ｂ）６２（例えば、ステンレス鋼線）と、該圧縮渦巻発条（Ｂ）６２の押圧で電気回路の開閉切換ができる吸引確認用転換器８０（例えば、マイクロスイッチ、片切スイッチ、両切スイッチ、点滅器）と、該蓋体３０に片持され該操作板６０の掛止ピン誘導溝６１の定位置で掛止又は開放できる掛止ピン３１（不図示）と、該蓋体３０に取付けられ該掛止ピン３１を常時弾発付勢している板バネ３２（不図示）と、からなる（特許文献３参照。）。
【００１０】
該装置箱体２０には、側面に突設した軸受部２３（該装置箱体２０と一体に形成しても良いし、個別部品で形成しても良い。）と、該軸受部２３の内周面には凹状の油溜まり部２４とを設け、該蓋体３０には、側面に突設した軸受部３３（不図示、該蓋体３０と一体に形成しても良いし、個別部品で形成しても良い。））と、該軸受部３３の内周面には凹状の油溜まり部３４（不図示）とを設け、各々の該油溜まり部２４、３４には、例えば、ワセリン、グリース、オイル等の油性物質４２（コロイド、固体、液体、粘度等は問わない。）を充填（本発明の一実施例としてはシリコーングリースを充填した。）し、簡易防水構造とした。
これにより、油性物質の撥水効果もあり、扉掛止装置１５内に水分浸透が無いという効果が確認された。
【００１１】
一実施例としての可動鉄芯吸引型電磁石７０は、銅線を円筒状のボビンに巻いて端子片７２に接続し電気絶縁材（例えば、ポリエステル樹脂、エポキシ樹脂、シリコーン樹脂、ウレタン樹脂等の接着シール材等で、他の材質の防水対策材、防湿対策材、結露対策材用等のものも含む。）で封止し、該ボビン内部に固定鉄芯７１を設け、可動鉄芯吸引型電磁石７０外周部に該固定鉄芯７１を嵌着した継鉄７４を囲繞したものであるが、従来のゴム製ブーツ４１（図１）という負荷等が無いこともあり、銅線の巻き数等を変更することにより、小電力でも扉掛止槓杆４０の挿脱（往復移動）が容易となった。
【００１２】
転換器８０の代替として、例えば、該操作板６０等に磁石を内蔵し、磁性感動素子（例えば、リードスイッチ、ホールＩＣ、磁気抵抗、コイル等）で可動鉄芯７３の吸引確認を検出しても良い。又、大電流を流したい場合は半導体素子（例えば、トランジスタ、サイリスタ、トライアック、ＦＥＴ、ＭＯＳＦＥＴ、専用ＩＣ等）等で電気回路等を構成すると良い。
【００１３】
本発明の一実施例の電気機器箱体扉の扉掛止装置１５は、作用（ソフト）的には、可動鉄芯吸引型電磁石７０が励磁され可動鉄芯７３が吸引されると、操作板６０が移動し、回動板５０が回転し、扉掛止槓杆４０が装置箱体２０から突出され、圧縮渦巻発条（Ａ）２２が圧縮され、該扉掛止槓杆４０が電気機器箱体の扉を掛止し、掛止ピン３１が掛止ピン誘導溝６１の定位置で掛止して該扉掛止槓杆４０の挿脱を不可能とし、該操作板６０の移動で圧縮渦巻発条（Ｂ）６２が吸引確認用転換器８０を押圧し、例えば、開切換から閉切換になり、該閉切換が電気機器の制御基板等に送信されることにより該制御基板から該可動鉄芯吸引型電磁石７０が消磁制御される。
【００１４】
再度吸引型電磁石７０が励磁されると、該掛止ピン３１が該掛止ピン誘導溝６１から開放されると共に圧縮された圧縮渦巻発条（Ａ）２２の弾発力で扉掛止槓杆４０が装置箱体２０に移動収納され、回動板５０が反転し、操作板６０が移動し、可動鉄芯７３が抜出され、圧縮渦巻発条（Ｂ）６２が吸引確認用転換器８０から離れ、例えば、該閉切換から開切換になり、該開切換が該制御基板に送信されることにより該制御基板から該可動鉄芯吸引型電磁石７０が消磁制御される。
【００１５】
細部においては、電気機器箱体の扉が扉掛止槓杆４０により掛止中であっても、手動解除槓杆６３を移動させれば、掛止ピン３１が掛止ピン誘導溝６１から開放されると共に圧縮された圧縮渦巻発条（Ａ）２２の弾発力で扉掛止槓杆４０が装置箱体２０に移動収納される。
【００１６】
以上、本発明の好適な実施の形態について述べてきたが、本発明は上述する実施の形態に限定されるものでなく、発明の精神を逸脱しない範囲で多くの組合せ、改変等を施し得るのはもちろんである。
【００１７】
【発明の効果】
本発明の電気機器箱体扉の扉掛止装置においては、小電力でも扉掛止槓杆の挿脱（往復移動）を容易にし、水分浸透が無いという効果を奏する。
【図面の簡単な説明】
【図１】従来の電気機器箱体扉の扉掛止装置の蓋体を取外した扉掛止槓杆開放時の正面図及び一部断面図である。
【図２】本発明の一実施例の電気機器箱体扉の扉掛止装置の蓋体を取外した扉掛止槓杆開放時の正面図及び一部断面図である。
【図３】本発明の一実施例の電気機器箱体扉の扉掛止装置の蓋体を取外した扉掛止槓杆掛止時の正面図及び一部断面図である。
【図４】図２における軸受部の要部拡大図及び一部断面図である。
【符号の説明】
１０…従来の扉爪掛止装置、１５…本発明の一実施例の扉爪掛止装置、２０…装置箱体、２１…支持軸、２２…圧縮渦巻発条（Ａ）、２３…軸受部、２４…凹状の油溜まり部、３０…蓋体、３１…掛止ピン、３２…板バネ、３３…軸受部、３４…凹状の油溜まり部、４０…扉掛止槓杆、４１…ゴム製ブーツ、４２…油性物質、５０…回動板、６０…操作板、６１…掛止ピン誘導溝、６２…圧縮渦巻発条（Ｂ）、６３…手動解除槓杆、７０…可動鉄芯吸引型電磁石、７１…固定鉄芯、７２…可動鉄芯吸引型電磁石端子片、７３…可動鉄芯、７４…継鉄、８０…転換器、８１…転換器端子片、８２…押釦部
【図１】
2004332493.tif 000003
【図２】
2004332493.tif 000004
【図３】
2004332493.tif 000005
【図４】
2004332493.tif 000006